(57)【要約】【課題】使用者の不快感や肌荒れが生じる恐れを軽減させることができる吸収性物品を提供する。【解決手段】互いに直交する長手方向と幅方向と厚さ方向とを有し、液体吸収性繊維を有する吸収体と、厚さ方向の肌側から吸収体を覆う液透過性シートとを有する吸収性物品であって、吸収体は、厚さ方向の肌側に折れ曲がるように誘導するための、長手方向に沿った１つの線状誘導部を、幅方向の中央部に有し、吸収体は、線状誘導部の幅方向の両側にそれぞれ複数の点状圧搾部を有し、線状誘導部は、肌側及び非肌側の少なくとも一方に凹部を備え、液体吸収性繊維の密度は、幅方向において、中央部の方が端部よりも高く、点状圧搾部は、肌側及び非肌側の少なくとも一方に凹部を備え、液体吸収性繊維の密度は、幅方向において、中央部の方が端部よりも高く、線状誘導部の中央部の厚さ方向における中央位置は、点状圧搾部の中央部の厚さ方向における中央位置より、厚さ方向において肌側に位置する。【選択図】図８
2017063976.tif 000002
【特許請求の範囲】
【請求項１】
互いに直交する長手方向と幅方向と厚さ方向とを有し、
液体吸収性繊維を有する吸収体と、
前記厚さ方向の肌側から前記吸収体を覆う液透過性シートとを有する吸収性物品であって、
前記吸収体は、前記厚さ方向の肌側に折れ曲がるように誘導するための、前記長手方向に沿った１つの線状誘導部を、前記幅方向の中央部に有し、
前記吸収体は、前記線状誘導部の前記幅方向の両側にそれぞれ複数の点状圧搾部を有し、
前記線状誘導部は、肌側及び非肌側の少なくとも一方に凹部を備え、前記液体吸収性繊維の密度は、前記幅方向において、中央部の方が端部よりも高く、
前記点状圧搾部は、肌側及び非肌側の少なくとも一方に凹部を備え、前記液体吸収性繊維の密度は、前記幅方向において、中央部の方が端部よりも高く、
前記線状誘導部の中央部の前記厚さ方向における中央位置は、前記点状圧搾部の中央部の前記厚さ方向における中央位置より、前記厚さ方向において肌側に位置することを特徴とする吸収性物品。
【請求項２】
請求項１に記載の吸収性物品において、
前記液体吸収性繊維の密度は、
前記線状誘導部についての前記中央部より、前記点状圧搾部についての前記中央部の方が高いことを特徴とする吸収性物品。
【請求項３】
請求項１又は２に記載の吸収性物品において、
前記厚さ方向の非肌側から前記吸収体を覆う液不透過性シートと、
前記液不透過性シートから前記幅方向の外側に突出して設けられたウイング部と、を有し、
前記ウイング部の前記厚さ方向の非肌側には、前記ウイング部を下着に固定するためのウイング接着部が設けられており、
前記線状誘導部の前記長手方向の長さは、前記ウイング接着部の前記長手方向の長さより長いことを特徴とする吸収性物品。
【請求項４】
請求項３に記載の吸収性物品において、
前記吸収性物品には、前記液透過性シートを内側にして折り畳むための、複数の前記幅方向に沿った折り畳み部が設けられており、
前記線状誘導部の前記長手方向の一端は、複数の前記折り畳み部のうちのある前記折り畳み部より前記長手方向の外側に設けられており、
前記線状誘導部の前記長手方向の他端は、複数の前記折り畳み部のうちの他の前記折り畳み部より前記長手方向の外側に設けられていることを特徴とする吸収性物品。
【請求項５】
請求項３又は４に記載の吸収性物品において、
前記長手方向において、
前記線状誘導部の前記長手方向の一端と同じ位置、又は前記一端より外側に前記点状圧搾部のうちのある前記点状圧搾部が設けられており、
前記線状誘導部の前記長手方向の他端と同じ位置、又は前記他端より外側に前記点状圧搾部のうちの他の前記点状圧搾部が設けられていることを特徴とする吸収性物品。
【請求項６】
請求項１から５のいずれか１項に記載の吸収性物品において、
前記線状誘導部の前記幅方向の中央において、前記吸収性物品の肌側面から前記線状誘導部までの距離は、前記吸収性物品の非肌側面から前記線状誘導部までの距離より小さいことを特徴とする吸収性物品。
【請求項７】
請求項１から６のいずれか１項に記載の吸収性物品において、
前記線状誘導部と、前記線状誘導部と前記幅方向に隣接する前記点状圧搾部との間に、前記線状誘導部における前記中央部及び前記点状圧搾部における前記中央部の前記液体吸収性繊維の密度より低い前記液体吸収性繊維の密度を有する領域が設けられていることを特徴とする吸収性物品。
【請求項８】
請求項１から７のいずれか１項に記載の吸収性物品において、
前記幅方向において、
前記幅方向に隣接する前記点状圧搾部同士の縁の間隔は、前記点状圧搾部の長さよりも短いことを特徴とする吸収性物品。
【請求項９】
請求項１から８のいずれか１項に記載の吸収性物品において、
前記点状圧搾部の前記長手方向の長さは、前記幅方向の長さよりも長いことを特徴とする吸収性物品。
【請求項１０】
請求項１から９のいずれか１項に記載の吸収性物品において、
前記吸収体は、吸収性コアと、前記吸収性コアよりも肌側に設けられたシート部材とを有し、
複数の前記点状圧搾部は、前記吸収体と前記液透過性シートとを接合している複数の本体点状圧搾部、及び前記吸収性コアと前記シート部材とを接合している複数の吸収体点状圧搾部を有し、
前記幅方向において、
前記幅方向に隣り合う前記吸収体点状圧搾部同士の中心の間隔は、前記幅方向に隣り合う前記本体点状圧搾部同士の中心の間隔よりも狭いことを特徴とする吸収性物品。
【請求項１１】
請求項１０に記載の吸収性物品において、
複数の前記吸収体圧搾部は、前記厚さ方向において、肌側から最も凹んだ部分が前記液透過性シートと所定距離だけ離間している前記吸収体圧搾部を有することを特徴とする吸収性物品。
【請求項１２】
請求項１から１１のいずれか１項に記載の吸収性物品において、
前記線状誘導部は、前記長手方向に隣接する第１領域と第２領域を有し、
前記第１領域は、前記第２領域より前記液体吸収性繊維の密度が高いことを特徴とする吸収性物品。
【請求項１３】
請求項１から１２のいずれか１項に記載の吸収性物品において、
前記幅方向において、
前記幅方向に隣接する前記点状圧搾部同士の中心の間隔が均等であることを特徴とする吸収性物品。
【請求項１４】
請求項１から１３のいずれか１項に記載の吸収性物品において、
前記長手方向に隣接する前記点状圧搾部同士の中心の間隔は、前記幅方向に隣接する前記点状圧搾部同士の中心の間隔より短いことを特徴とする吸収性物品。
【発明の詳細な説明】
【技術分野】
【０００１】
本発明は、吸収性物品に関する。
【背景技術】
【０００２】
経血等の排泄液を吸収する吸収性物品として生理用ナプキンが知られている。この生理用ナプキンは、互いに直交する長手方向と幅方向と厚さ方向を有し、液透過性のトップシートと液不透過性のバックシートとの間に、液体吸収性繊維を主材とする吸収体（吸収性コア）を有している。
【０００３】
このような生理用ナプキンの例として、特許文献１には、吸収性物品の表面の排泄部対向領域に多数の凸部と複数の圧着部を設けて排泄液の吸収性を向上させることが記載されている。
【先行技術文献】
【特許文献】
【０００４】
【特許文献１】特開２００５−３１２５４７号
【発明の概要】
【発明が解決しようとする課題】
【０００５】
しかし、特許文献１に記載された吸収性物品では、使用者の身体の膣口等の排泄口にフィットさせることができず、排泄液が吸収性物品の表面上で広がってしまったりして、使用者に不快感や肌荒れを生じさせる恐れがあった。
【０００６】
本発明は、上記のような問題に鑑みてなされたものであって、吸収性物品の着用時において、良好な液吸収性を保持しつつ、使用者の身体に応じた形状の吸収性物品を提供することにある。
【課題を解決するための手段】
【０００７】
上記目的を達成するための主たる発明は、
互いに直交する長手方向と幅方向と厚さ方向とを有し、液体吸収性繊維を有する吸収体と、前記厚さ方向の肌側から前記吸収体を覆う液透過性シートとを有する吸収性物品であって、前記吸収体は、前記厚さ方向の肌側に折れ曲がるように誘導するための、前記長手方向に沿った１つの線状誘導部を、前記幅方向の中央部に有し、前記吸収体は、前記線状誘導部の前記幅方向の両側にそれぞれ複数の点状圧搾部を有し、前記線状誘導部は、肌側及び非肌側の少なくとも一方に凹部を備え、前記液体吸収性繊維の密度は、前記幅方向において、中央部の方が端部よりも高く、前記点状圧搾部は、肌側及び非肌側の少なくとも一方に凹部を備え、前記液体吸収性繊維の密度は、前記幅方向において、中央部の方が端部よりも高く、前記線状誘導部の中央部の前記厚さ方向における中央位置は、前記点状圧搾部の中央部の前記厚さ方向における中央位置より、前記厚さ方向において肌側に位置することを特徴とする吸収性物品である。
本発明の他の特徴については、本明細書及び添付図面の記載により明らかにする。
【発明の効果】
【０００８】
本発明によれば、線状誘導部により肌側に折れ曲がることで、使用者の膣口に当接させることができ、線状誘導部及び点状圧搾部の液体吸収性繊維の密度は、それぞれ中央部の方が端部より高く、線状誘導部の中央部の厚さ方向における中央位置を、点状圧搾部の中央部の厚さ方向における中央位置より、厚さ方向において肌側に設けることで、線状誘導部で吸収した排泄液を、排泄液を肌側から非肌側へ移動させ、非肌側で吸収させて、吸収性物品のフィット性を向上させつつ、使用者の不快感や肌荒れが生じる恐れを軽減することができる。
【図面の簡単な説明】
【０００９】
【図１】図１は、生理用ナプキン１を厚さ方向の肌側から見た正面図である。
【図２】図２は、ナプキン１を厚さ方向の非肌側から見た平面図である。
【図３】図３は、図１中のＡ−Ａ矢視で示す概略断面である。
【図４】図４は、吸収体１０を厚さ方向の非肌側から見た平面図である。
【図５】図５Ａは、吸収体点状圧搾部ＥＤ１０の配置について説明する図である。図５Ｂは、本体点状圧搾部ＥＤ２０の配置について説明する図である。
【図６】図６は、ナプキン１の使用態様について説明する図である。
【図７】図７Ａは、図１中のＢ−Ｂ矢視で示す部分の吸収体１０に吸収体点状圧搾部ＥＤ１０を形成した概略断面図である。図７Ｂは、図１中のＢ−Ｂ矢視で示す部分の吸収体１０に線状誘導部１５を形成した概略断面図である。図７Ｃは、図１中のＢ−Ｂ矢視で示す部分の吸収体１０にトップシート２０及びバックシート３０を積層した概略断面図である。図７Ｄは、図１中のＢ−Ｂ矢視で示す部分のナプキン１に本体点状圧搾部ＥＤ２０を形成した概略断面図である。
【図８】図８は、図７Ｄにおける吸収体点状圧搾部ＥＤ１０及び線状誘導部１５の概略断面図である。
【図９】図９は、図１中のＣ−Ｃ矢視で示す部分の線状誘導線１５の形状について説明する図である。
【図１０】図１０は、吸収体１０の厚さ方向における肌側から見た吸収体点状圧搾部ＥＤ１０の模式図である。
【発明を実施するための形態】
【００１０】
本明細書及び添付図面の記載により、少なくとも以下の事項が明らかとなる。  
互いに直交する長手方向と幅方向と厚さ方向とを有し、液体吸収性繊維を有する吸収体と、前記厚さ方向の肌側から前記吸収体を覆う液透過性シートとを有する吸収性物品であって、前記吸収体は、前記厚さ方向の肌側に折れ曲がるように誘導するための、前記長手方向に沿った１つの線状誘導部を、前記幅方向の中央部に有し、前記吸収体は、前記線状誘導部の前記幅方向の両側にそれぞれ複数の点状圧搾部を有し、前記線状誘導部は、肌側及び非肌側の少なくとも一方に凹部を備え、前記液体吸収性繊維の密度は、前記幅方向において、中央部の方が端部よりも高く、前記点状圧搾部は、肌側及び非肌側の少なくとも一方に凹部を備え、前記液体吸収性繊維の密度は、前記幅方向において、中央部の方が端部よりも高く、前記線状誘導部の中央部の前記厚さ方向における中央位置は、前記点状圧搾部の中央部の前記厚さ方向における中央位置より、前記厚さ方向において肌側に位置することを特徴とする吸収性物品である。
【００１１】
このような吸収性物品によれば、線状誘導部により肌側に折れ曲がることで、使用者の膣口等の排泄口に当接させることができ、線状誘導部及び点状圧搾部の液体吸収性繊維の密度は、それぞれ中央部の方が端部より高く、線状誘導部の中央部の厚さ方向における中央位置を、点状圧搾部の中央部の厚さ方向における中央位置より、厚さ方向において肌側に設けることで、線状誘導部で吸収した排泄液を、排泄液を肌側から非肌側へ移動させ、非肌側で吸収させて、吸収性物品のフィット性を向上させつつ、使用者の不快感や肌荒れが生じる恐れを軽減することができる。
【００１２】
かかる吸収性物品において、前記液体吸収性繊維の密度は、前記線状誘導部についての前記中央部より、前記点状圧搾部についての前記中央部の方が高いことが望ましい。
【００１３】
このような吸収性物品によれば、線状誘導部についての中央部より点状圧搾部についての中央部の液体吸収性繊維の密度を高くすることにより、まず線状誘導部で吸収した排泄液を、より高密度な点状圧搾部に拡散することができる。
【００１４】
かかる吸収性物品において前記厚さ方向の非肌側から前記吸収体を覆う液不透過性シートと、前記液不透過性シートから前記幅方向の外側に突出して設けられたウイング部と、を有し、前記ウイング部の前記厚さ方向の非肌側には、前記ウイング部を下着に固定するためのウイング接着部が設けられており、前記線状誘導部の前記長手方向の長さは、前記ウイング接着部の前記長手方向の長さより長いことが望ましい。
【００１５】
このような吸収性物品によれば、線状誘導部の長手方向の長さをウイング接着部の長手方向の長さより長くすることで、線状誘導部の肌側への折り曲げ形状を維持しやすくし、排泄液の長手方向への拡散を促すことができる。
【００１６】
かかる吸収性物品において、前記吸収性物品には、前記液透過性シートを内側にして折り畳むための、複数の前記幅方向に沿った折り畳み部が設けられており、前記線状誘導部の前記長手方向の一端は、複数の前記折り畳み部のうちのある前記折り畳み部より前記長手方向の外側に設けられており、前記線状誘導部の前記長手方向の他端は、複数の前記折り畳み部のうちの他の前記折り畳み部より前記長手方向の外側に設けられていることが望ましい。
【００１７】
このような吸収性物品によれば、線状誘導部の長手方向の一端が、複数の折り畳み部のうちのある折り畳み部より長手方向の外側に設けられ、線状誘導部の長手方向の他端が、複数の折り畳み部のうちの他の折り畳み部より長手方向の外側に設けられることで、排泄液が折り畳み部で堰き止められる恐れを軽減することができる。
【００１８】
かかる吸収性物品において、前記長手方向において、前記線状誘導部の前記長手方向の一端と同じ位置、又は前記一端より外側に前記点状圧搾部のうちのある前記点状圧搾部が設けられており、前記線状誘導部の前記長手方向の他端と同じ位置、又は前記他端より外側に前記点状圧搾部のうちの他の前記点状圧搾部が設けられていることが望ましい。
【００１９】
このような吸収性物品によれば、長手方向において、線状誘導部の長手方向の一端と同じ位置、又は一端より外側に点状圧搾部のうちのある点状圧搾部を設け、線状誘導部の長手方向の他端と同じ位置、又は他端より外側に点状圧搾部のうちの他の点状圧搾部を設けることにより、線状誘導部で吸収した排泄液を点状圧搾部によって拡散することができるため、吸収体のより広い範囲で排泄液を吸収することができる。
【００２０】
かかる吸収性物品において、前記線状誘導部の前記幅方向の中央において、前記吸収性物品の肌側面から前記線状誘導部までの距離は、前記吸収性物品の非肌側面から前記線状誘導部までの距離より小さいことが望ましい。
【００２１】
このような吸収性物品によれば、線状誘導部の幅方向の中央において、吸収性物品の肌側面から線状誘導部までの距離を、吸収性物品の非肌側面から線状誘導部までの距離より小さくすることで、使用者の膣口のより近くで排泄液を吸収することができる。
【００２２】
かかる吸収性物品において、前記線状誘導部と、前記線状誘導部と前記幅方向に隣接する前記点状圧搾部との間に、前記線状誘導部における前記中央部及び前記点状圧搾部における前記中央部の前記液体吸収性繊維の密度より低い前記液体吸収性繊維の密度を有する領域が設けられていることが望ましい。
【００２３】
このような吸収性物品によれば、線状誘導部と、線状誘導部に幅方向に隣接する点状圧搾部との間に、線状誘導部における中央部及び点状圧搾部における中央部の液体吸収性繊維の密度より低い液体吸収性繊維の密度を有する領域を設けることで、液体吸収性繊維の密度の低い領域が、排泄液を貯留することができるため、線状誘導部で吸収した排泄液を貯留し、貯留した排泄液を点状圧搾部に吸収させる流路の役目を担うことができる。
【００２４】
かかる吸収性物品において、前記幅方向において、前記幅方向に隣接する前記点状圧搾部同士の縁の間隔は、前記点状圧搾部の長さよりも短いことが望ましい。
【００２５】
このような吸収性物品によれば、幅方向において、隣接する点状圧搾部同士の縁との間隔を点状圧搾部の長さより短くすることで、隣接する点状圧搾部同士の縁との間隔が点状圧搾部の長さ以下の場合よりも、隣接する点状圧搾部間の排泄液の移動性が向上する。
【００２６】
かかる吸収性物品において、前記点状圧搾部の前記長手方向の長さは、前記幅方向の長さよりも長いことが望ましい。
【００２７】
このような吸収性物品によれば、点状圧搾部の長手方向の長さを、幅方向の長さより長くすることにより、より長手方向に液体を拡散することができ、吸収性物品の幅方向の外側から液体が漏れる恐れを防止することができる。
【００２８】
かかる吸収性物品において、前記吸収体は、吸収性コアと、前記吸収性コアよりも肌側に設けられたシート部材とを有し、複数の前記点状圧搾部は、前記吸収体と前記液透過性シートとを接合している複数の本体点状圧搾部、及び前記吸収性コアと前記シート部材とを接合している複数の吸収体点状圧搾部を有し、前記幅方向において、前記幅方向に隣り合う前記吸収体点状圧搾部同士の中心の間隔は、前記幅方向に隣り合う前記本体点状圧搾部同士の中心の間隔よりも狭いことが望ましい。
【００２９】
このような吸収性物品によれば、隣接する本体点状圧搾部同士の中心の間隔より隣接する吸収体点状圧搾部同士の中心の間隔を狭くすることにより、吸収体の単位面積当たりの吸収体点状圧搾部の数が多くなり、吸収体の剛性がより向上させることができる一方、本体点状圧搾部の数が比較的少なくすることで、吸収性物品を外観的にすっきりとした印象を与えることができる。
【００３０】
かかる吸収性物品において、複数の前記吸収体圧搾部は、前記厚さ方向において、肌側から最も凹んだ部分が前記液透過性シートと所定距離だけ離間している前記吸収体圧搾部を有することが望ましい。
【００３１】
このような吸収性物品によれば、複数の吸収体凹部が、厚さ方向において、最も凹んだ部分が液透過性シートと所定距離だけ離間している吸収体圧搾部を有することで、液体を吸収した吸収体と液透過性シートとが接触していない部分が設けられ、液透過性シートの表面の液体によるべたつきを軽減させることができる。
【００３２】
かかる吸収性物品において、前記線状誘導部は、前記長手方向に隣接する第１領域と第２領域を有し、前記第１領域は、前記第２領域より前記液体吸収性繊維の密度が高いことが望ましい。
【００３３】
このような吸収性物品によれば、線状誘導部が、長手方向に液体吸収性繊維の密度が異なる第１領域と第２領域を有することにより、長手方向への排泄液の拡散をより促すことができる。
【００３４】
かかる吸収性物品において、前記幅方向において、前記幅方向に隣接する前記点状圧搾部同士の中心の間隔が均等であることが望ましい。
【００３５】
このような吸収性物品によれば、幅方向に隣接する点状圧搾部同士の中心の間隔を均等にすることで、吸収体の剛性を一定にしやすくしつつ、排泄液の拡散を一定にすることができる。
【００３６】
かかる吸収性物品において、前記長手方向に隣接する前記点状圧搾部同士の中心の間隔は、前記幅方向に隣接する前記点状圧搾部同士の中心の間隔より短いことが望ましい。
【００３７】
このような吸収性物品によれば、長手方向に隣り合う点状圧搾部同士の中心の間隔を、幅方向に隣り合う点状圧搾部同士の中心の間隔より短くすることにより、吸収体における幅方向よりも長手方向への液体の流動がしやすくなり、吸収体のより広い範囲で液体を保持することができる。
【００３８】
＝＝＝第１実施形態＝＝＝
＜生理用ナプキン１の基本的構成＞
本実施形態に係る吸収性物品の一例として生理用ナプキン１（以下、「ナプキン１」という。）について説明する。なお、以下の説明では、吸収性物品の例として生理用ナプキンについて説明するが、本実施形態の吸収性物品には、所謂おりものシート（例えば、パンティーライナー）等も含まれており、生理用ナプキンに限定されるものではない。
【００３９】
図１は、生理用ナプキン１を厚さ方向の肌側から見た正面図である。図２は、ナプキン１を厚さ方向の非肌側から見た平面図である。図３は、図１中のＡ−Ａ矢視で示す概略断面である。また、以下の説明では、ナプキン１の製品長手方向に沿った「長手方向」と、ナプキン１の製品短手方向に沿って長手方向と直交する「幅方向」と、長手方向及び幅方向とそれぞれ直交する「厚さ方向」と定義する。長手方向は、ナプキン１の使用時において使用者の腹側となる「前側」と、使用者の背側となる「後側」とを有する。厚さ方向は、ナプキン１の着用時に着用者の肌と当接する側（図３において上側）である「肌側」（「上側」ともいう。）と、その反対側（図３において下側）である「非肌側」（「下側」ともいう。）とを有する。また、図中のＸ−Ｘ線は幅方向における中心線、Ｙ−Ｙ線は厚さ方向における中心線である。
【００４０】
ナプキン１は、平面視縦長形状のシート状部材であり、液透過性のトップシート２０と、液吸収性の吸収体１０と、液不透過性のバックシート３０とが厚さ方向の肌側から非肌側へと順に積層されている（図３参照）。そして、これら各部材２０、１０、３０は、それぞれ厚さ方向に隣接する部材と、ホットメルト接着剤等の接着剤ＨＭＡで接合されている。
【００４１】
トップシート２０及びバックシート３０の平面形状は同形状であり、その平面サイズは、吸収体１０の平面サイズよりも大きい。そして、図１及び図２に示すように、両シート２０、３０の外周縁部２０ｅ、３０ｅ同士が接着又は溶着で接合されることにより、両シート２０、３０同士の間に吸収体１０が保持される。また、ナプキン１を下着（不図示）に載置固定する際に供される固定部となる、トップシート２０及びバックシート３０の長手方向の略中央部が幅方向の外側に延出したウイング部２０ｗ、３０ｗが形成されている。
【００４２】
吸収体１０は、吸収性コア１１と肌側シート１２と非肌側シート１３とを有する。吸収性コア１１は、経血等の液体（排泄液）を吸収して保持する部材である。吸収性コア１１は、液体吸収性繊維であるセルロース系吸収性繊維と、熱可塑性樹脂繊維とを有し、これらの繊維同士が互いに混合した状態で、図１の破線で示されるように平面視縦長形状に成形されている。例えば、液体吸収性繊維としてはパルプ繊維等が使用され、熱可塑性樹脂繊維としては、鞘がポリエチレン（ＰＥ）で芯がポリエチレンテレフタレート（ＰＥＴ）の所謂鞘芯構造の複合繊維等が使用される。なお、この液体吸収性繊維としてレーヨン繊維を用いてもよく、熱可塑性樹脂繊維としてポリプロピレン（ＰＰ）の単独繊維や、ＰＥの単独繊維を用いてもよい。また、高吸収性ポリマー（所謂ＳＡＰ）等の液体吸収性粒状物を液体吸収性繊維に加えてもよい。
【００４３】
肌側シート１２は、吸収性コア１１と平面形状が略同形のシート部材であり、吸収性コア１１の肌側面を覆うようにして接着剤ＨＭＡによって接合されている（図３）。肌側シート１２は、エアスルー不織布等の不織布やティッシュペーパー等の、液透過性に優れた柔軟なシートが用いられる。非肌側シート１３は、吸収性コア１１と平面形状が略同形のシート部材であり、吸収性コア１１の非肌側面を覆うようにして接着剤ＨＭＡによって接合されている（図３）。非肌側シート１３は、ＳＭＳ（スパンボンド／メルトブローン／スパンボンド）不織布等の不織布やティッシュペーパー等の柔軟なシートが用いられる。
【００４４】
図４は、吸収体１０を厚さ方向の非肌側から見た平面図である。吸収体１０には、図４に示されるように、複数の吸収体点状圧搾部ＥＤ１０が設けられており、吸収体１０の剛性が高められている。図４において、吸収体点状圧搾部ＥＤ１０の平面形状は楕円形であり、千鳥状の配置パターンとされているが、何等これに限らない。また、吸収体１０は、吸収体点状圧搾部ＥＤ１０によって厚さ３ｍｍ以下、望ましくは２ｍｍ以下となる、所謂薄型の吸収体となっている。
【００４５】
さらに、吸収体１０には、幅方向中央部に長手方向に沿った線状誘導部１５が形成されている。線状誘導部１５は、吸収体１０の長手方向全長に亘って一直線に形成された圧搾部であり、これにより吸収体１０が線状誘導部１５を起点として厚さ方向の肌側に折れ曲がるように誘導される。
【００４６】
トップシート２０は、ナプキン１の使用時において使用者の肌と当接する部材であり、経血等の液体を厚さ方向の肌側から非肌側に透過させ、吸収体に移動させる。トップシート２０は、エアスルー不織布等の適宜な不織布の液透過性の柔軟なシートが用いられる。
【００４７】
図１に示すように、トップシート２０の肌側面には、肌側から複数の圧搾部（線状圧搾部ＥＬ２０と、本体点状圧搾部ＥＤ２０）が形成されており、これにより、トップシート２０と吸収体１０とが一緒に厚さ方向に圧搾されて接合一体化されている。線状圧搾部ＥＬ２０は、吸収体１０の外周縁部に沿って複数連なって形成されていて、全体として長手方向に長い略環状をなしている。一方、本体点状圧搾部ＥＤ２０は、線状圧搾部ＥＬ２０がトップシート２０上に区画する略閉じた領域内に離散的に形成されている。本実施形態において、本体点状圧搾部ＥＤ２０は、楕円形とされているが、何等これに限らない。
【００４８】
バックシート３０は、ナプキン１の使用時においてトップシート２０を透過して吸収体１０によって吸収された液体が下着等の着衣側（非肌側）に染み出すことを抑制する。バックシート３０は、ポリエチレン（ＰＥ）等の適宜な樹脂フィルムの液不透過性の柔軟なシートが用いられる。
【００４９】
図２に示すように、バックシート３０の非肌面側には、ナプキン１の使用時にナプキン１を下着等に貼付して固定するための接着部（ウイング接着部４０ｗ、本体接着部４０ｃ）が設けられている。ウイング接着部４０ｗは、バックシート３０のウイング部３０ｗの非肌面側に略矩形状に形成される１対の接着部である。本体接着部４０ｃは、１対のウイング接着部４０ｗの幅方向の間の部分に、例えば、図２のように、バックシート３０と吸収体１０とが重複する部分で長手方向に沿った複数の帯状の領域に適宜な接着剤ＨＭＡを塗布することにより形成されている。ナプキン１を使用する際は、本体接着部３０ｃを下着の股下部（クロッチ部）内側に貼付した状態で下着ごとナプキン１を装着することで、使用者の身体に対して吸収体１０の位置がずれないようにする。同様に、ウイング接着部４０ｗは、ウイング部３０ｗの領域に適宜な接着剤ＨＭＡを塗布して、例えば略矩形状に形成される。ナプキン１を使用する際は、ウイング部３０ｗ（２０ｗ）を非肌側に折り曲げて、ウイング接着部４０ｗを下着の股下部外側に貼付するようにしてナプキン１が固定され、使用時の位置ずれ等を抑制する。
【００５０】
図５Ａは、吸収体点状圧搾部ＥＤ１０の配置について説明する図である。図５Ｂは、本体点状圧搾部ＥＤ２０の配置について説明する図である。図４、図５Ａに示すように、吸収体１０の全領域に亘って吸収体点状圧搾部ＥＤ１０が形成されることで、吸収体１０の厚さが３ｍｍ以下に抑えられ、剛性が確保される。また、ナプキン１の使用時において吸収体１０が経血等の排泄液を吸収した場合であっても、吸収体１０が厚さ方向に膨張することが抑制される。本実施形態においては、幅方向及び長手方向に隣接する吸収体点状圧搾部ＥＤ１０同士の中心の間隔を均等に形成されている。
【００５１】
また、図１、図５Ｂに示すように、本体点状圧搾部ＥＤ２０の平面形状は楕円形で、離散的に設けられ、トップシート２０と吸収体１０とをより強く接合して、使用時等にトップシート２０と吸収体１０とが剥離することを抑制している。
【００５２】
このとき、幅方向において、隣接する吸収体点状圧搾部ＥＤ１０同士の中心の間隔ｓ１０を、隣接する本体点状圧搾部ＥＤ２０同士の中心の間隔ｓ２０より狭くすることが好ましい。これにより、吸収体１０の単位面積あたりの圧搾部（ＥＤ１０）の数が多くなり、吸収体１０の剛性をより向上させることができる。また、ナプキン１の外観から視認できる本体点状圧搾部ＥＤ２０の数が吸収体点状圧搾部ＥＤ１０より少ないため、ナプキン１の外観上の印象をよりすっきりとさせることができる。
【００５３】
＜ナプキン１の使用時について＞
以下、ナプキン１の使用時の態様について説明する。図６は、ナプキン１の使用態様について説明する図である。
【００５４】
使用者がナプキン１を装着する際には、ナプキン１を下着の股下部（クロッチ部）に固定した状態で、下着を使用者の股間２０１Ｋ側に引き上げる動作を行う。このとき、図６の状態Ａで表されるようにナプキン１は、吸収体１０の線状誘導部１５に沿って肌側に折れ曲がる。そして、ナプキン１が使用者の股間２０１Ｋに装着された状態では、図
６の状態Ｂで表されるように、線状誘導部１５に沿って肌側に折れ曲がった部分が、膣口等の排泄口２０１Ｈｅが存在する隙間に接しやすくなる。これにより、使用者に良好なフィット性を感じさせやすくなると共に、経血等の排泄液を漏れなく吸収体１０に吸収させ易くすることができる。
【００５５】
＜点状圧搾部ＥＤ１０、ＥＤ２０、及び線状誘導部１５の形成について＞
続いて、点状圧搾部ＥＤ１０、ＥＤ２０及び線状誘導部１５の形成について説明する。本実施形態において、吸収体点状圧搾部ＥＤ１０及び本体点状圧搾部ＥＤ２０は、それぞれ点状の圧搾部であり、いずれも「点状圧搾部」である。なお、ここでいう「点状」は、或る点の周囲に形成される領域を含むものであり、吸収体点状圧搾部ＥＤ１０及び本体点状圧搾部２０は、所定の形状及び面積を有する。また、吸収体点状圧搾部ＥＤ１０は、肌側又は非肌側から厚さ方向に圧搾することによって設けられ、少なくとも肌側又は非肌側が凹んだ点状の凹部（点状凹部）である。
【００５６】
線状誘導部１５は、長手方向に沿った線状の圧搾部であり、吸収体１０の幅方向の中央線の両側に形成される領域を含むものであり、略矩形状で、所定の面積を有する。また、線状誘導部１５は、非肌側から厚さ方向に圧搾することによって設けられた少なくとも非肌側が凹んだ線状の凹部である。
【００５７】
図７Ａ〜図７Ｄは、点状圧搾部ＥＤ１０、ＥＤ２０、及び線状誘導部１５の形成について説明した図である。図７Ａは、図１中のＢ−Ｂ矢視で示す部分の吸収体１０に吸収体点状圧搾部ＥＤ１０を形成した概略断面図である。図７Ｂは、図１中のＢ−Ｂ矢視で示す部分の吸収体１０に線状誘導部１５を形成した概略断面図である。図７Ｃは、図１中のＢ−Ｂ矢視で示す部分の吸収体１０にトップシート２０及びバックシート３０を積層した概略断面図である。図７Ｄは、図１中のＢ−Ｂ矢視で示す部分のナプキン１に本体点状圧搾部ＥＤ２０を形成した概略断面図である。なお、図７Ａ、図７Ｂ、図７Ｃ中のｙ−ｙ線は厚さ方向における吸収体１０の中心線であり、図７Ｄ中のＹ−Ｙは、厚さ方向におけるナプキン１の中心線である。
【００５８】
まず、吸収体点状圧搾部ＥＤ１０を形成する。加工前の吸収体１０は、その全域に亘って厚みｔ１０を有している。加工前の吸収体１０に、非肌側シート１３と吸収性コア１１と肌側シート１２とを厚さ方向に一緒に圧搾（エンボス加工）することで吸収体点状圧搾部ＥＤ１０が形成される。本実施形態においては、複数の突部を有する凸ローラー（不図示）と、表面が平らなアンビルローラー（不図示）との間のロール間隙に吸収体１０を通して、吸収体１０の非肌側から圧搾加工を行うことにより吸収体点状圧搾部ＥＤ１０が形成される。
【００５９】
図７Ａに示すように、吸収体点状圧搾部１０を圧搾加工した吸収体１０は、圧搾された領域ｂと、圧搾されていない領域ａとを有する。領域ａの幅方向における中央は、厚さ方向においてｔ１０、又はｔ１０に近い厚みを有している。一方、領域ｂは、厚さ方向の肌側及び非肌側のそれぞれから凹んだ吸収体点状圧搾部ＥＤ１０が形成される。このとき、吸収体点状圧搾部ＥＤ１０の幅方向における中央を中央ｂｃとすると、中央ｂｃの厚さ方向についての長さ、つまり、領域ｂの中央ｂｃにおける吸収体点状圧搾部ＥＤ１０の上面ＥＤ１０ｔと下面ＥＤ１０ｂとの距離ｔＥＤ１０は、ｔ１０より小さい（ｔ１０＞ｔＥＤ１０）。このとき、吸収体点状圧搾部ＥＤ１０は、吸収体１０の厚さ方向における略中央部に位置する。また、吸収体点状圧搾部ＥＤ１０（領域ｂ）は、圧搾加工によって液体吸収性繊維が押し潰されて、領域ａより液体吸収性繊維の密度が高くなる。
【００６０】
続いて、線状誘導部１５を形成する。線状誘導部１５は、吸収体点状圧搾部ＥＤ１０を形成した吸収体１０について、幅方向の中央部を賦型・圧搾することで形成する。本実施形態においては、吸収体１０の肌側に設けられ、凸部を有する凸ローラー（不図示）と、凸ローラーの凸部に対向する位置に凹部（溝部）を有する、吸収体１０の非肌側に設けられた凹ローラー（不図示）を用いて、凸ローラーと凹ローラーとの間のロール間隙に吸収体１０を通すことにより線状誘導部１５が形成される。
【００６１】
図７Ｂに示すように、線状誘誘導部１５を賦型・圧搾加工した吸収体１０は、新たに線状誘導部１５が形成された領域ｃを有する。領域ｃは、厚さ方向の肌側及び非肌側のそれぞれから凹んでおり、線状誘導部１５の幅方向における中央を中央ｃｃとすると、中央ｃｃの厚さ方向における厚み、つまり、領域ｃの中央ｃｃにおける線状誘導部１５の上面１５ｔと下面１５ｂとの距離ｔ１５が、ｔ１０より小さい。このとき、図７Ｂに示すように、厚さ方向において、線状誘導部１５は、より肌側に位置している。また、線状誘導部１５は（領域ｃ）は、圧搾加工によって液体吸収性繊維が押し潰されて、領域ａより液体吸収性繊維の密度が高くなる。
【００６２】
なお、線状誘導部１５を形成するための圧搾は、吸収体点状圧搾部ＥＤ１０を形成するための圧搾より小さな加圧で行うことが好ましい。これにより、ｔＥＤ１０は、ｔ１５より小さくなり（ｔＥＤ１０＜ｔ１５）、また、吸収体点状圧搾部ＥＤ１０の中央ｂｃにおける液体吸収性繊維の密度は、線状誘導部１５の中央ｃｃにおける液体吸収性繊維の密度より高くなり、全体として領域ｂの方が領域ｃより液体吸収性繊維の密度が高くなる。
【００６３】
ただし、吸収体点状圧搾部ＥＤ１０を形成した部分に、さらに線状誘導部１５を形成した場合、つまり領域ｂに線状誘導部１５を形成した場合は、部分的に、線状誘導部１５のｔ１５はより小さくなり、液体吸収性繊維の密度がより高くなる。
【００６４】
続いて、図７Ｃに示すように吸収体１０の肌側からトップシート２０を積層し、接着剤ＨＭＡにより固着する。なお、図７Ｃ、図７Ｄにおいて接着剤ＨＭＡは省略されている。
【００６５】
そして、本体点状圧搾部ＥＤ２０を形成する。トップシート２０の上からトップシート２０と吸収体１０を厚さ方向に一緒に圧搾して本体点状圧搾部ＥＤ２０が形成される。本実施形態においては、複数の突部を有する凸ローラー（不図示）と、表面が平らなアンビルローラー（不図示）との間のロール間隙にナプキン１を通して、ナプキン１の肌側から圧搾加工を行っている（図７Ｄ）。本体点状圧搾部ＥＤ２０の形成後、非肌側からバックシート３０が積層され、接着剤ＨＭＡで固着されることによりナプキン１が形成される。
【００６６】
図７Ｄに示すように、本体点状圧搾部ＥＤ２０を圧搾加工したナプキン１は、新たに本体点状圧搾部ＥＤ２０が形成された領域ｄを有する。領域ｄは、厚さ方向の肌側及び非肌側のそれぞれから凹んでおり、本体点状圧搾部ＥＤ２０の幅方向における中央を中央ｄｃとすると、中央ｄｃの厚さ方向における厚み、つまり、領域ｄの中央ｄｃにおける本体点状圧搾部ＥＤ２０の上面ＥＤ２０ｔと下面ＥＤ２０ｂとの距離ｔＥＤ２０が、ｔ１０より小さい。このとき、本体点状圧搾部ＥＤ２０は、ナプキン１の厚さ方向における略中央部に位置する。また、本体点状圧搾部ＥＤ２０（領域ｄ）は、圧搾加工によって液体吸収性繊維が押し潰されて、領域ａより液体吸収性繊維の密度は高くなる。
【００６７】
なお、本体点状圧搾部ＥＤ２０を形成するための圧搾は、吸収体点状圧搾部ＥＤ１０を形成するための圧搾より大きな加圧で行うことが好ましい。これにより、ｔＥＤ１０は、ｔＥＤ２０より大きくなる（ｔＥＤ１０＞ｔＥＤ２０）。
【００６８】
図７Ｄにおいて、複数の吸収体点状圧搾部ＥＤ１０うち、一部の吸収体点状圧搾部ＥＤ１０の上から、さらに本体点状圧搾部ＥＤ２０を形成することにしたが、これに限られない。吸収体点状圧搾部ＥＤ１０と本体点状圧搾部ＥＤ２０は、それぞれ任意の位置に設けてよく、これらの点状圧搾部ＥＤ１０、ＥＤ２０が同じ位置に形成されても、別々の位置に設けられてもよい。
【００６９】
吸収体点状圧搾部ＥＤ１０と本体点状圧搾部ＥＤ２０が同じ位置に形成された場合、ｔＥＤ２０はより小さくなり、液体吸収性繊維の密度はより高くなる。
【００７０】
吸収体点状圧搾部ＥＤ１０と本体点状圧搾部ＥＤ２０が同じ位置に形成されていない場合、つまり吸収体点状圧搾部ＥＤ１０の上から本体点状圧搾部ＥＤ２０が圧搾されなかった場合は、図７Ｄに示すように空間Ｓが形成される。この空間Ｓは、吸収体点状圧搾部ＥＤ１０の上面ＥＤ１０ｔとトップシート２０とが所定距離だけ離れており、上面ＥＤ１０ｔとトップシート２０との間に空間Ｓを形成している。この空間Ｓにより、吸収体１０とトップシート２０とが接触しない部分が形成されるため、液体が吸収された吸収体１０と肌側に位置するトップシート２０とが直接接触しなくなり、液体によるべたつきを軽減することができ、使用者の肌が感じる不快感を軽減させることができる。
【００７１】
＜液体の拡散性について＞
次に、ナプキン１が吸収した液体の拡散性について説明する。図８は、図７Ｄにおける吸収体点状圧搾部ＥＤ１０及び線状誘導部１５の概略断面図である。図９は、図１中のＣ−Ｃ矢視で示す部分の線状誘導線１５の形状について説明する図である。
【００７２】
図８に示すように、線状誘導部１５の幅方向における中央ｃｃにおいて、ナプキン１の肌側面から線状誘導部１５までの距離は、非肌側面から線状誘導部１５までの距離より小さい。つまり、領域ｃの中央ｃｃにおいて、トップシート２０の上面から線状誘導部の上面１５ｔまでの距離をＬ１、バックシート３０の下面から線状誘導部１５の下面１５ｂまでの距離をＬ２とすると、Ｌ１はＬ２より小さい（Ｌ１＜Ｌ２）。また、線状誘導部１５の幅方向の中央部（領域ｃの中央部）における厚さ方向の中央位置を点ｃ１５とし、吸収体点状圧搾部ＥＤ１０の幅方向の中央部（領域ｂの中央部）における厚さ方向の中央位置を点ｂＥＤ１０とすると、点１５ｃは、点ｂＥＤ１０より肌側に位置している。これにより、領域ａより厚みが薄い線状誘導部１５がより肌側に位置するため、使用者の膣口等の排出口のより近くで液体を吸収することができる。また、使用者が装着しようとする際の、線状誘導部１５を起点とする肌側への隆起をより生じやすくして、ナプキン１のフィット性を向上させている。
【００７３】
なお、この吸収体点状圧搾部ＥＤ１０の点ｂＥＤ１０は、ナプキン１の厚さ方向における中央Ｙ−Ｙにより近くに設けられることが好ましい。本実施形態においては、吸収体点状圧搾部ＥＤ１０の点ｂＥＤ１０は、厚さ方向において、ナプキン１の厚さ方向のほぼ中央に設けられている。
【００７４】
このとき、膣口等の排泄口から排出された液体は、まず排泄口に近い線状誘導部１５（領域ｃ）で吸収される。次に、線状誘導部１５が吸収した液体を、線状誘導部１５に隣接する液体吸収性繊維の低い領域（領域ａ）で貯留する。その後、液体吸収性繊維の密度が低い領域（領域ａ）で貯留された液体を、吸収体点状圧搾部ＥＤ１０（領域ｂ）が吸収する。そして、吸収体点状圧搾部ＥＤ１０が吸収した液体を、吸収体点状圧搾部ＥＤ１０に隣接する液体吸収性繊維の密度が低い領域（領域ａ）で貯留する。この吸収体点状圧搾部ＥＤ１０（領域ｂ）と液体吸収性繊維の密度の低い領域（領域ａ）との液体の移動を繰り返すことにより吸収体１０のより広い範囲に液体を拡散する。この液体の移動の詳細については、後述する。
【００７５】
なお、線状誘導部１５による液体の吸収、及び吸収体点状圧搾部ＥＤ１０による液体の吸収についての液体の移動は、「毛管現象」によるものである。「毛管現象」とは、「毛細管現象」ともいい、管中の液面の上昇または降下の度合は液の表面張力に比例し、管の内径に反比例することをいう。本実施形態においては、繊維と繊維の間の空間が管に相当し、繊維と繊維の間の狭い空間を重力や上下左右関係なく液体が浸透していく現象をいい、液体吸収性繊維の隙間が狭いほど液体の浸透が速まる。
【００７６】
本実施形態において、線状誘導部１５が形成された領域ｃは、圧搾加工が施されていない領域ａより液体吸収性繊維の密度が高い。なお、線状誘導部１５の幅方向における中央部の液体吸収性繊維の密度は、線状誘導部１５の端部の液体吸収性繊維の密度より高い。また、吸収体点状圧搾部ＥＤ１０が形成された領域ｂは、圧搾加工が施されていない領域ａより液体吸収性繊維の密度が高い。なお、吸収体点状圧搾部ＥＤ１０の幅方向における中央部の液体吸収性繊維の密度は、吸収体点状圧搾部ＥＤ１０の端部の液体吸収性繊維の密度より高い。また、線状誘導部１５の幅方向における中央部より、吸収体点状圧搾部ＥＤ１０の幅方向における中央部の方が液体吸収性繊維の密度が高く、領域ｃより、領域ｂの方が液体吸収性の繊維の密度が高い。
【００７７】
膣口等の排泄口から排出された液体は、まず液体吸収性繊維の密度が高い線状誘導部１５が吸収するため、素早く吸収することができる。しかし、液体吸収性繊維の密度を高くしたことに伴い、線状誘導部１５の厚みは比較的薄くなっている。そのため、線状誘導部１５は、吸収した液体を保持する能力が低下しており、線状誘導部１５が吸収し、保持しきれなくなった液体は、隣接する液体吸収性繊維の密度の低い領域（領域ａ）へ移動して、液体を液体吸収性繊維の密度の低い領域（領域ａ）で貯留する。このように、厚さ方向肌側に近い線状誘導部１５で吸収した液体を、隣接する液体吸収性繊維の密度の低い領域（ａ）に向かって移動することで、より非肌側に移動させるため、線状誘導部１５の表面に液体が残留して生じるべたつき等を軽減することができ、使用者の不快感や肌荒れが生じる恐れを軽減することができる。
【００７８】
続いて、隣接する液体吸収性繊維の低い領域（領域ａ）が貯留している液体を、液体吸収性繊維の低い領域（領域ａ）に隣接する吸収体点状圧搾部ＥＤ１０が吸収する。このとき、吸収体点状圧搾部ＥＤ１０（領域ｂ）の液体吸収性繊維の密度は、領域ａや線状誘導部１５（領域ｃ）よりも大きいため、領域ａで貯留された液体をより吸収し、液体の拡散をより促進することができる。しかし、吸収体点状圧搾部ＥＤ１０は、液体吸収性繊維の密度を高くしたことに伴い、その厚みは、比較的薄くなっている。そのため、吸収した液体を保持する能力が低下しており、吸収体点状圧搾部ＥＤ１０が吸収し、保持しきれなくなった液体は、隣接する液体吸収性繊維の密度の低い領域（領域ａ）へ移動する。
【００７９】
この液体の移動について、線状誘導部１５と吸収体点状圧搾部ＥＤ１０との間、吸収体点状圧搾部ＥＤ１０同士の間に、液体吸収性繊維の低い領域（領域ａ）を設けることが好ましい。線状誘導部１５及び吸収体点状圧搾部ＥＤ１０は、比較的液体吸収性繊維の密度が高く、液体の貯留することが難しい。そのため、吸収体１０に線状誘導部１５や吸収体点状圧搾部ＥＤ１０ばかりが形成されると、液体を吸収して留めておくという吸収体１０の本来の機能を発揮できなくなってしまう。そのため、線状誘導部１５と吸収体点状圧搾部ＥＤ１０との間、吸収体点状圧搾部ＥＤ１０同士の間に、それぞれ液体吸収性繊維の低い領域（領域ａ）を設けることで、液体を吸収し貯留することができ、また、隣接する吸収体点状圧搾部ＥＤ１０へ液体を移動させることができる。
【００８０】
なお、図８おいては、線状誘導部１５と吸収体点状圧搾部ＥＤ１０による液体の移動について説明したが、本体点状圧搾部ＥＤ２０も液体吸収性繊維の密度が高いため、液体拡散を促している。特に、本体点状圧搾部ＥＤ２０は、線状誘導部１５及び吸収体点状圧搾部ＥＤ１０よりも液体吸収性繊維の密度が高いため、より液体を吸収して（吸収速度が速い）、液体の拡散を促進することができる。
【００８１】
線状誘導部１５は、長手方向に沿って凹凸を有している。線状誘導部１５の長手方向の断面図を見ると、図９に示すように、線状誘導部１５は、厚さ方向の肌側に位置しており、その肌側に凸部１５ｆと凹部１５ｇが設けられている。なお、図７Ａ〜図７Ｄ、図８の線状誘導部１５は、凸部１５ｆを示している。
【００８２】
この凸部１５ｆは、吸収体点状圧搾部ＥＤ１０を形成していない部分に線状誘導部１５を形成した領域であり、凹部１５ｇは、吸収体点状圧搾部ＥＤ１０を形成した部分に、さらに線状誘導部１５を形成した領域である。図４に示すように、吸収体１０の幅方向の中央部には、吸収体点状圧搾部ＥＤ１０と線状誘導部１５が同じ領域に設けられている。上述のように、線状誘導部１５の圧搾時の加圧が、吸収体点状圧搾部ＥＤ１０の圧搾時の加圧より小さいため、線状誘導部１５に凸部１５ｆ及び凹部１５ｇが形成されている。
【００８３】
この線状誘導部１５の凸部１５ｆ及び凹部１５ｇにより、線状誘導部１５内においても、比較的液体吸収性繊維の密度が低い凸部１５ｆと、比較的液体吸収性繊維の密度が高い凹部１５ｇとを有する。そのため、線状誘導部１５の中央部で吸収された液体は、凹部１５ｇが吸収し、凹部１５ｇで保持しきれなくなった液体は隣接する凸部ｆへ移動して凸部１５ｆが液体を貯留する。凸部１５ｆで貯留されている液体を、隣接する凹部１５ｇが吸収するという液体の移動を行うことで、長手方向の外側へ吸収した液体を移動させることができ、液体の拡散を促進させることができる。
【００８４】
この液体の移動により、液体は、吸収体１０の広い範囲に向かって拡散する。ナプキン１のような吸収性物品においては、いくら大きな吸収体１０を用いても、膣口等の排出口に近い部分だけで液体を吸収してしまうと、ナプキン１を長時間使用すると、ナプキン１が液体を十分に吸収できず、液体が肌表面上で広がってしまったりして使用者に不快感を与えていた。しかし、このような線状誘導部１５及び点状圧搾部ＥＤ１０、ＥＤ２０を備えることにより、液体を吸収体１０のより広い範囲に拡散することができるため、使用者に不快感を与える恐れを軽減し、ナプキン１をより長い時間使用することができる。
【００８５】
図４に示すように、吸収体点状圧搾部ＥＤ１０は、少なくとも幅方向において、幅方向に隣接する吸収体点状圧搾部ＥＤ１０同士の中心の間隔が均等であることが好ましい。これにより、吸収体１０の剛性を一定にしやすくし、液体の拡散性を一定にすることができる。
【００８６】
また、点状圧搾部ＥＤ１０、ＥＤ２０は、幅方向の長さより長手方向の長さの方が長いことが好ましい。図１０は、吸収体１０の厚さ方向における肌側から見た吸収体点状圧搾部ＥＤ１０の模式図である。図１０において、吸収体点状圧搾部ＥＤ１０の長手方向の長さをＷｍ１、幅方向の長さをＷｍ２とすると、Ｗｍ１は、Ｗｍ２より長い楕円形の形状である（Ｗｍ１＞Ｗｍ２）。図１等で示すように、ナプキン１は、縦長の形状を有している。そのため、長手方向及び幅方向の中央部で吸収した液体を、吸収体１０の長手方向のより外側へ拡散させて、吸収体１０の広い範囲で液体を保持して、ナプキン１をより長時間の使用ができるようにすることが望まれている。そこで、吸収体点状圧搾部ＥＤ１０の形状を長手方向に長い楕円形にすることで、より液体吸収性繊維の高い部分がより長手方向に設けられ、液体の長手方向への拡散をより促進することができ、ナプキン１の幅方向の外側から液体が漏れる恐れを軽減することができる。
【００８７】
幅方向において、隣接する吸収体点状圧搾部ＥＤ１０同士の縁の間隔を間隔Ｗｂとしたとき、Ｗｂは、吸収体点状圧搾部ＥＤ１０の幅方向の長さ（Ｗｍ２）より短いことが好ましい（Ｗｍ２＞Ｗｂ）。これにより、Ｗｂ＞Ｗｍ２の場合よりも、幅方向に隣接する吸収体点状圧搾部ＥＤ１０間の液体の移動をより促進することができる。
【００８８】
同様に、長手方向に隣接する吸収体点状圧搾部ＥＤ１０同士の縁の間隔を間隔Ｗｊとしたとき、間隔Ｗｊは、幅方向に隣接する吸収体点状圧搾部ＥＤ１０同士の縁の間隔Ｗｂより短いことが好ましい（Ｗｊ＜Ｗｂ）。これにより、幅方向に隣接する吸収体点状圧搾部ＥＤ１０間の液体の移動より、長手方向に隣接する吸収体点状圧搾部ＥＤ１０間の液体の移動をより促進することができ、吸収体１０の長手方向の外側に向かう液体の拡散をより促進することができる。
【００８９】
また、図１及び図２に示すように、長手方向において、線状誘導部１５の長さが、ウイング接着部４０ｗの長さより長いことが好ましい。これにより、線状誘導部１５が肌側へ折れ曲がった形状を維持しやすくし、吸収体１０の長手方向の外側への液体の拡散を促すことができる。
【００９０】
さらに、図１に示すように、線状誘導部１５の前側の端を、前側の折り畳み部Ｈより前側に設け、線状誘導部１５の後側の端を、後側の折り畳み部Ｈより後側に設けることが好ましい。折り畳み部Ｈは、ナプキン１の運搬時等に、最外装に包装材を配置して、トップシート２０を内側にして折り畳む場合の折り畳み領域である。本実施形態においては、３つ折りのナプキン１を示しており、ウイング接着部４０ｗより前側に前側の折り畳み部Ｈと、ウイング接着部４０ｗより後側に後側の折り畳み部Ｈが設けられている。使用時には、折り畳まれたものを開いて使用するため、ナプキン１に、所謂「折り癖」が残ってしまう恐れがある。そのため、線状誘導部１５の前側の端を、前側の折り畳み部Ｈより前側に設け、線状誘導部１５の後側の端を、後側の折り畳み部Ｈより後側に設けることで、液体が折り畳み部Ｈで堰き止められる恐れを軽減することができる。
【００９１】
また、長手方向において、線状誘導部１５の前側の端と同じ位置、又は前側の端より外側にも吸収体点状圧搾部ＥＤ１０が設けられ、線状誘導部１５の後側の端と同じ位置、又は後側の端より外側にも吸収体点状圧搾部ＥＤ１０が設けられていることが好ましい。図４に示すように、線状誘導部１５の前側の端と吸収体点状圧搾部ＥＤ１０はいずれも吸収体１０の前側の端まで形成されており、長手方向において、線状誘導部１５の前側の端と同じ位置に吸収体点状圧搾部ＥＤ１０が設けられている。また、線状誘導部１５の後側の端と吸収体点状圧搾部ＥＤ１０はいずれも吸収体１０の後側の端まで形成されており、長手方向において、吸収体の後側の端とお暗示位置に吸収体点状圧搾部ＥＤ１０が設けられている。これにより、線状誘導部１５で吸収した液体を幅方向に隣接する吸収体点状圧搾部ＥＤ１０によって拡散することができるため、吸収体１０のより広い範囲で液体を吸収することができる。
【００９２】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００９３】
上述の実施形態においては、吸収体点状圧搾部ＥＤ１０及び本体点状圧搾部ＥＤ２０を楕円形状としたが、これに限られない。円形やひし形等、適宜変形することができる。点状圧搾部ＥＤ１０、ＥＤ２０の形状や面積、間隔等を適宜調整することで、液体の拡散性を調整することができる。
【００９４】
さらに、上述の実施形態においては、吸収体点状圧搾部ＥＤ１０による液体の拡散性を説明したが、これに限られない。本体点状圧搾部ＥＤ２０（点状凹部）により液体の拡散性を向上させることもできる。また、吸収体点状圧搾部ＥＤ１０と本体点状圧搾部ＥＤ２０とを組合せて点状圧搾部を形成してもよい。
【００９５】
なお、吸収体点状圧搾部ＥＤ１０と本体点状圧搾部ＥＤ２０の数についても、必ずしも吸収体点状圧搾部ＥＤ１０の方が多い必要はなく、吸収体点状圧搾部ＥＤ１０を吸収体１０の全域に形成しなくてもよい。また、本体点状圧搾部ＥＤ２０が、吸収体点状圧搾部ＥＤ１０と同数、又は吸収体点状圧搾部ＥＤ１０より多くてもよい。点状圧搾部（ＥＤ１０、ＥＤ２０）を設けることで、液体の拡散性を向上させることができる。
【符号の説明】
【００９６】
１  生理用ナプキン（ナプキン）、
１０  吸収体、
１１  吸収性コア、
１２  肌側シート（シート部材）、１３  非肌側シート、
１５  線状誘導部、
１５ｔ  上面、１５ｂ  下面、１５ｆ  凸部、１５ｇ  凹部、
２０  トップシート（液透過性シート）、
２０ｔ  上面、
２０ｅ  外周縁部、２０ｗ  ウイング部、
３０  バックシート（液不透過性シート）、
３０ｂ  下面、３０ｅ  外周縁部、３０ｗ  ウイング部、
４０ｃ  本体接着部、４０ｗウイング接着部、
２０１Ｋ  股間、２０１Ｈｅ  排泄口
ＥＤ１０  吸収体点状圧搾部、
ＥＤ１０ｔ  上面、ＥＤ１０ｂ  下面
ＥＤ２０  本体点状圧搾部、
ＥＤ２０ｔ  上面、ＥＤ２０ｂ  下面、
ＥＬ２０  線状圧搾部（線状凹部）、
Ｈ  折り畳み部、
ＨＭＡ  接着剤、
ａ、ｂ、ｃ、ｄ  領域
ｂＥＤ１０、ｃ１５  点、
【図１】
2017063976.tif 000003
【図２】
2017063976.tif 000004
【図３】
2017063976.tif 000005
【図４】
2017063976.tif 000006
【図５】
2017063976.tif 000007
【図６】
2017063976.tif 000008
【図７】
2017063976.tif 000009
【図８】
2017063976.tif 000010
【図９】
2017063976.tif 000011
【図１０】
2017063976.tif 000012
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
互いに直交する長手方向と幅方向と厚さ方向とを有し、
液体吸収性繊維を有する吸収体と、
前記厚さ方向の肌側から前記吸収体を覆う液透過性シートとを有する吸収性物品であって、
前記吸収体は、前記厚さ方向の肌側に折れ曲がるように誘導するための、前記長手方向に沿った１つの線状誘導部を、前記幅方向の中央部に有し、
前記吸収体は、前記線状誘導部の前記幅方向の両側にそれぞれ複数の点状圧搾部を有し、
前記線状誘導部は、肌側及び非肌側の少なくとも一方に凹部を備え、前記液体吸収性繊維の密度は、前記幅方向において、中央部の方が端部よりも高く、
前記点状圧搾部は、肌側及び非肌側の少なくとも一方に凹部を備え、前記液体吸収性繊維の密度は、前記幅方向において、中央部の方が端部よりも高く、
前記線状誘導部の中央部の前記厚さ方向における中央位置は、前記点状圧搾部の中央部の前記厚さ方向における中央位置より、前記厚さ方向において肌側に位置しており、
前記厚さ方向の非肌側から前記吸収体を覆う液不透過性シートと、
前記液不透過性シートから前記幅方向の外側に突出して設けられたウイング部と、を有し、
前記ウイング部の前記厚さ方向の非肌側には、前記ウイング部を下着に固定するためのウイング接着部が設けられており、
前記線状誘導部の前記長手方向の長さは、前記ウイング接着部の前記長手方向の長さより長く、
前記吸収性物品には、前記液透過性シートを内側にして折り畳むための、複数の前記幅方向に沿った折り畳み部が設けられており、
前記線状誘導部の前記長手方向の一端は、複数の前記折り畳み部のうちのある前記折り畳み部より前記長手方向の外側に設けられており、
前記線状誘導部の前記長手方向の他端は、複数の前記折り畳み部のうちの他の前記折り畳み部より前記長手方向の外側に設けられていることを特徴とする吸収性物品。
【請求項２】
請求項１に記載の吸収性物品において、
前記液体吸収性繊維の密度は、
前記線状誘導部についての前記中央部より、前記点状圧搾部についての前記中央部の方が高いことを特徴とする吸収性物品。
【請求項３】
請求項１又は２に記載の吸収性物品において、
前記長手方向において、
前記線状誘導部の前記長手方向の一端と同じ位置、又は前記一端より外側に前記点状圧搾部のうちのある前記点状圧搾部が設けられており、
前記線状誘導部の前記長手方向の他端と同じ位置、又は前記他端より外側に前記点状圧搾部のうちの他の前記点状圧搾部が設けられていることを特徴とする吸収性物品。
【請求項４】
請求項１から３のいずれか１項に記載の吸収性物品において、
前記線状誘導部の前記幅方向の中央において、前記吸収性物品の肌側面から前記線状誘導部までの距離は、前記吸収性物品の非肌側面から前記線状誘導部までの距離より小さいことを特徴とする吸収性物品。
【請求項５】
請求項１から４のいずれか１項に記載の吸収性物品において、
前記線状誘導部と、前記線状誘導部と前記幅方向に隣接する前記点状圧搾部との間に、前記線状誘導部における前記中央部及び前記点状圧搾部における前記中央部の前記液体吸収性繊維の密度より低い前記液体吸収性繊維の密度を有する領域が設けられていることを特徴とする吸収性物品。
【請求項６】
請求項１から５のいずれか１項に記載の吸収性物品において、
前記幅方向において、
前記幅方向に隣接する前記点状圧搾部同士の縁の間隔は、前記点状圧搾部の長さよりも短いことを特徴とする吸収性物品。
【請求項７】
請求項１から６のいずれか１項に記載の吸収性物品において、
前記点状圧搾部の前記長手方向の長さは、前記幅方向の長さよりも長いことを特徴とする吸収性物品。
【請求項８】
互いに直交する長手方向と幅方向と厚さ方向とを有し、
液体吸収性繊維を有する吸収体と、
前記厚さ方向の肌側から前記吸収体を覆う液透過性シートとを有する吸収性物品であって、
前記吸収体は、前記厚さ方向の肌側に折れ曲がるように誘導するための、前記長手方向に沿った１つの線状誘導部を、前記幅方向の中央部に有し、
前記吸収体は、前記線状誘導部の前記幅方向の両側にそれぞれ複数の点状圧搾部を有し、
前記線状誘導部は、肌側及び非肌側の少なくとも一方に凹部を備え、前記液体吸収性繊維の密度は、前記幅方向において、中央部の方が端部よりも高く、
前記点状圧搾部は、肌側及び非肌側の少なくとも一方に凹部を備え、前記液体吸収性繊維の密度は、前記幅方向において、中央部の方が端部よりも高く、
前記線状誘導部の中央部の前記厚さ方向における中央位置は、前記点状圧搾部の中央部の前記厚さ方向における中央位置より、前記厚さ方向において肌側に位置しており、
前記吸収体は、吸収性コアと、前記吸収性コアよりも肌側に設けられたシート部材とを有し、
複数の前記点状圧搾部は、前記吸収体と前記液透過性シートとを接合している複数の本体点状圧搾部、及び前記吸収性コアと前記シート部材とを接合している複数の吸収体点状圧搾部を有し、
前記幅方向において、
前記幅方向に隣り合う前記吸収体点状圧搾部同士の中心の間隔は、前記幅方向に隣り合う前記本体点状圧搾部同士の中心の間隔よりも狭いことを特徴とする吸収性物品。
【請求項９】
請求項８に記載の吸収性物品において、
複数の前記吸収体点状圧搾部は、前記厚さ方向において、肌側から最も凹んだ部分が前記液透過性シートと所定距離だけ離間している前記吸収体点状圧搾部を有することを特徴とする吸収性物品。
【請求項１０】
互いに直交する長手方向と幅方向と厚さ方向とを有し、
液体吸収性繊維を有する吸収体と、
前記厚さ方向の肌側から前記吸収体を覆う液透過性シートとを有する吸収性物品であって、
前記吸収体は、前記厚さ方向の肌側に折れ曲がるように誘導するための、前記長手方向に沿った１つの線状誘導部を、前記幅方向の中央部に有し、
前記吸収体は、前記線状誘導部の前記幅方向の両側にそれぞれ複数の点状圧搾部を有し、
前記線状誘導部は、肌側及び非肌側の少なくとも一方に凹部を備え、前記液体吸収性繊維の密度は、前記幅方向において、中央部の方が端部よりも高く、
前記点状圧搾部は、肌側及び非肌側の少なくとも一方に凹部を備え、前記液体吸収性繊維の密度は、前記幅方向において、中央部の方が端部よりも高く、
前記線状誘導部の中央部の前記厚さ方向における中央位置は、前記点状圧搾部の中央部の前記厚さ方向における中央位置より、前記厚さ方向において肌側に位置しており、
前記線状誘導部は、前記長手方向に隣接する第１領域と第２領域を有し、
前記第１領域は、前記第２領域より前記液体吸収性繊維の密度が高いことを特徴とする吸収性物品。
【請求項１１】
請求項１から１０のいずれか１項に記載の吸収性物品において、
前記幅方向において、
前記幅方向に隣接する前記点状圧搾部同士の中心の間隔が均等であることを特徴とする吸収性物品。
【請求項１２】
互いに直交する長手方向と幅方向と厚さ方向とを有し、
液体吸収性繊維を有する吸収体と、
前記厚さ方向の肌側から前記吸収体を覆う液透過性シートとを有する吸収性物品であって、
前記吸収体は、前記厚さ方向の肌側に折れ曲がるように誘導するための、前記長手方向に沿った１つの線状誘導部を、前記幅方向の中央部に有し、
前記吸収体は、前記線状誘導部の前記幅方向の両側にそれぞれ複数の点状圧搾部を有し、
前記線状誘導部は、肌側及び非肌側の少なくとも一方に凹部を備え、前記液体吸収性繊維の密度は、前記幅方向において、中央部の方が端部よりも高く、
前記点状圧搾部は、肌側及び非肌側の少なくとも一方に凹部を備え、前記液体吸収性繊維の密度は、前記幅方向において、中央部の方が端部よりも高く、
前記線状誘導部の中央部の前記厚さ方向における中央位置は、前記点状圧搾部の中央部の前記厚さ方向における中央位置より、前記厚さ方向において肌側に位置しており、
前記長手方向に隣接する前記点状圧搾部同士の中心の間隔は、前記幅方向に隣接する前記点状圧搾部同士の中心の間隔より短いことを特徴とする吸収性物品。
【手続補正２】
【補正対象書類名】明細書
【補正対象項目名】０００７
【補正方法】変更
【補正の内容】
【０００７】
上記目的を達成するための主たる発明は、
互いに直交する長手方向と幅方向と厚さ方向とを有し、液体吸収性繊維を有する吸収体と、前記厚さ方向の肌側から前記吸収体を覆う液透過性シートとを有する吸収性物品であって、前記吸収体は、前記厚さ方向の肌側に折れ曲がるように誘導するための、前記長手方向に沿った１つの線状誘導部を、前記幅方向の中央部に有し、前記吸収体は、前記線状誘導部の前記幅方向の両側にそれぞれ複数の点状圧搾部を有し、前記線状誘導部は、肌側及び非肌側の少なくとも一方に凹部を備え、前記液体吸収性繊維の密度は、前記幅方向において、中央部の方が端部よりも高く、前記点状圧搾部は、肌側及び非肌側の少なくとも一方に凹部を備え、前記液体吸収性繊維の密度は、前記幅方向において、中央部の方が端部よりも高く、前記線状誘導部の中央部の前記厚さ方向における中央位置は、前記点状圧搾部の中央部の前記厚さ方向における中央位置より、前記厚さ方向において肌側に位置しており、前記厚さ方向の非肌側から前記吸収体を覆う液不透過性シートと、前記液不透過性シートから前記幅方向の外側に突出して設けられたウイング部と、を有し、前記ウイング部の前記厚さ方向の非肌側には、前記ウイング部を下着に固定するためのウイング接着部が設けられており、前記線状誘導部の前記長手方向の長さは、前記ウイング接着部の前記長手方向の長さより長く、前記吸収性物品には、前記液透過性シートを内側にして折り畳むための、複数の前記幅方向に沿った折り畳み部が設けられており、前記線状誘導部の前記長手方向の一端は、複数の前記折り畳み部のうちのある前記折り畳み部より前記長手方向の外側に設けられており、前記線状誘導部の前記長手方向の他端は、複数の前記折り畳み部のうちの他の前記折り畳み部より前記長手方向の外側に設けられていることを特徴とする吸収性物品である。
本発明の他の特徴については、本明細書及び添付図面の記載により明らかにする。